(57)【要約】【課題】  多種多様な携帯電話機等の利用者端末において３次元イメージを利用することのできる３次元イメージデータ配信装置を提供すること。【解決手段】  対象物を複数の異なる角度から撮像した画像を含み、隣接する異なる角度からの撮像画像を連続的に更新表示することで対象物の３次元イメージを再生表示可能とされた３次元イメージデータとして、狭い角度間隔における画像を含むことで高品質な３次元イメージを再生可能とされたマスター３次元イメージデータを記憶しておき、携帯電話機４から機器状況特定情報を取得したことに応じて、特定される機器状況に基づいてマスター３次元イメージデータから機器状況に応じた画像数となるように画像を間引いた配信用３次元イメージデータを生成し、携帯電話機４に対して配信する。【選択図】  図１
2006345214.tif 000002
【特許請求の範囲】
【請求項１】
オープンコンピュータネットワークを介して接続されたアクセス利用者が携行可能な利用者端末に対して、対象物を複数の異なる角度から撮像した画像を含み、隣接する異なる角度からの撮像画像を連続的に更新表示することで対象物の３次元イメージを再生表示可能とされた３次元イメージデータを配信する３次元イメージデータ配信装置であって、
狭い角度間隔における画像を含むことで高品質な３次元イメージを再生可能とされたマスター３次元イメージデータを記憶するためのマスターデータ記憶手段と、
前記アクセス利用者の利用者端末から、当該利用者端末の機器状況を特定可能な機器状況特定情報を取得する機器状況特定情報取得手段と、
前記機器状況特定情報取得手段にて取得した機器状況特定情報から特定される機器状況に基づいて、前記マスター３次元イメージデータに含まれる狭い角度間隔における複数の画像の内から、特定した利用者端末の機器状況に応じた画像数となるように画像を抽出することで間引いた画像、或いはマスター３次元イメージデータに含まれる各画像の解像度を低下させた画像を含む配信用３次元イメージデータを生成する配信用データ生成手段と、
前記配信用データ生成手段にて生成された配信用３次元イメージデータを、アクセス利用者の利用者端末に対して配信する配信手段と、
を備えることを特徴とする３次元イメージデータ配信装置。
【請求項２】
前記利用者端末が携帯電話機であって、
各携帯電話機の機種名に対応付けて、、当該携帯電話機の機器状況が記憶された機種名テーブルを記憶する機種名テーブル記憶手段を備え、
前記機器状況特定情報取得手段は前記機器状況特定情報として機種名を取得し、
前記配信用データ生成手段は、取得した機種名に対応して前記機種名テーブルに記憶されている機器状況に基づいて前記配信用３次元イメージデータを生成することを特徴とする請求項１に記載の３次元イメージデータ配信装置。
【請求項３】
前記機器状況特定情報取得手段は、アクセスしてきた前記利用者端末における前記配信用３次元イメージデータの再生に使用可能なメモリの空き容量を特定可能な情報を少なくとも取得し、
前記配信用データ生成手段は、少なくとも取得した使用可能なメモリの空き容量に基づいて前記配信用３次元イメージデータを生成することを特徴とする請求項１または２に記載の３次元イメージデータ配信装置。
【請求項４】
前記マスター３次元イメージデータには、各画像にリンクされた関連情報から成る付随データを付与可能であって、
前記マスター３次元イメージデータに前記付随データが付与されているか否かを判定する付随データ有無判定手段を備え、
前記配信用データ生成手段は、前記マスター３次元イメージデータに付随データが付与されているときは、該付随データの削除を優先的に実施することを特徴とする請求項１〜３のいずれかに記載の３次元イメージデータ配信装置。
【請求項５】
前記配信用３次元イメージデータに基づく３次元イメージを再生するための各機器状況に対応した複数の再生アプリケーションプログラムを記憶する再生アプリケーションプログラム記憶手段と、
前記機器状況特定情報取得手段にて取得した機器状況特定情報から特定される機器状況に基づいて、前記再生アプリケーションプログラム記憶手段に記憶されている再生アプリケーションプログラムの内、該特定した機器状況に該当する再生アプリケーションプログラムを特定するアプリケーション特定手段と、
前記アプリケーション特定手段にて特定した再生アプリケーションプログラムを、前記機器状況特定情報を取得した利用者端末に対して配信する再生アプリ配信手段と、
を備えることを特徴とする請求項１〜４のいずれかに記載の３次元イメージデータ配信装置。
【請求項６】
対象物を複数の異なる角度から撮像した画像を含み、隣接する異なる角度からの撮像画像を連続的に更新表示することで対象物の３次元イメージを再生表示可能とされ、オープンコンピュータネットワークを介して接続されたアクセス利用者が携行可能な利用者端末に対して配信される当該利用者端末に応じた３次元イメージデータを、前記オープンコンピュータネットワークに接続されたサーバコンピュータにより提供する３次元イメージデータの提供方法であって、
狭い角度間隔における画像を含むことで高品質な３次元イメージを再生可能とされたマスター３次元イメージデータを取得するマスターデータ取得ステップと、
３次元イメージデータを配信する配信対象の利用者端末の機器状況を特定可能な機器状況特定情報を取得する機器状況特定情報取得ステップと、
前記機器状況特定情報取得ステップにて取得した機器状況特定情報から特定される機器状況に基づいて、前記マスターデータ取得ステップにて取得したマスター３次元イメージデータに含まれる狭い角度間隔における複数の画像の内から、特定した利用者端末の機器状況に応じた画像数となるように画像を抽出することで間引いた画像、或いはマスター３次元イメージデータに含まれる各画像の解像度を低下させた画像を含む配信用３次元イメージデータを生成する配信用データ生成ステップと、
前記配信用データ生成ステップにて生成された配信用３次元イメージデータを、アクセス利用者の利用者端末或いは該アクセス利用者の利用者端末に対して当該配信用３次元イメージデータを配信するためのコンテンツサーバに対して配信する配信ステップと、
を備えることを特徴とする３次元イメージデータの提供方法。
【請求項７】
前記利用者端末が携帯電話機であって、
前記機器状況特定情報取得ステップにおいては、前記機器状況特定情報として機種名を取得し、
前記配信用データ生成ステップにおいては、各携帯電話機の機種名に対応付けて当該携帯電話機の機器状況が記憶された機種名テーブルにおいて、取得した機種名に対応して記憶されている機器状況に基づいて前記配信用３次元イメージデータを生成することを特徴とする請求項６に記載の３次元イメージデータの提供方法。
【請求項８】
前記機器状況特定情報取得ステップにおいては、前記配信用３次元イメージデータの再生に使用可能な前記配信対象の利用者端末におけるメモリの空き容量を特定可能な情報を少なくとも取得し、
前記配信用データ生成ステップにおいては、少なくとも取得した使用可能なメモリの空き容量に基づいて前記配信用３次元イメージデータを生成することを特徴とする請求項６または７に記載の３次元イメージデータの提供方法。
【請求項９】
前記マスター３次元イメージデータには、各画像にリンクされた関連情報から成る付随データを付与可能であって、
前記マスター３次元イメージデータに前記付随データが付与されているか否かを判定する付随データ有無判定ステップを含み、
前記配信用データ生成ステップにおいては、前記マスター３次元イメージデータに付随データが付与されているときは、該付随データの削除を優先的に実施することを特徴とする請求項６〜８のいずれかに記載の３次元イメージデータの提供方法。
【請求項１０】
前記機器状況特定情報取得手段にて取得した機器状況特定情報から特定される機器状況に基づいて、前記配信用３次元イメージデータに基づく３次元イメージを再生するための各機器状況に対応した複数の再生アプリケーションプログラムの内、該特定した機器状況に該当する再生アプリケーションプログラムを特定するアプリケーション特定ステップと、
前記アプリケーション特定ステップにて特定した再生アプリケーションプログラムを、前記配信対象の利用者端末に対して配信する再生アプリ配信ステップと、
を備えることを特徴とする請求項６〜９のいずれかに記載の３次元イメージデータの提供方法。
【発明の詳細な説明】
【技術分野】
【０００１】
本発明は、携帯電話機等の利用者端末において、対象物の複数の異なる角度からの画像を連続的に表示することで、利用者が対象物を３次元に把握することのできる３次元イメージを再生するための３次元イメージデータを配信する３次元イメージデータ配信装置並びに３次元イメージデータ配信方法に関する。
【背景技術】
【０００２】
近年、デジタル技術の進歩により、画像等をデジタルデータとして扱うことが容易にできるようになり、インターネット等の普及と相まって、これらインターネットにより提供される各種のコンテンツに、例えば商品のカタログ等の情報に写真等のイメージが多く用いられている。
【０００３】
これらコンテンツにおいては、写真等の平面イメージより、商品や対象物体への理解を一層深めることができるようにするために、コンテンツの受給者が、商品や対象物体を見る方向や姿勢を自由に選択して表示させることのできる３次元イメージが利用されてきている。（例えば、特許文献１参照）。
【０００４】
【特許文献１】特開２００２−２７２８９号公報
【発明の開示】
【発明が解決しようとする課題】
【０００５】
一方、近年におけるインターネット網の普及とともに、携帯電話機の急速な普及により、これら３次元イメージの再生が、一般的なパソコン等のコンピュータ端末ではなく、利用者がいつも携行している携帯電話機等の携帯型端末において実施したいという要望があるが、特許文献１にあっては、３次元イメージデータとして、処理能力に優れたＣＰＵや容量の大きなメモリを有する一般的なパソコン等のコンピュータ端末を対象として生成された１つの３次元イメージデータを配信するのみであるので、これらパソコン等を対象とする３次元イメージデータを携帯電話機に配信した場合には、携帯電話機のメモリ容量やＣＰＵの処理能力が低いことから、良好な３次元イメージが得られず、３次元イメージを利用することができないという問題があった。
【０００６】
このため、これら複数存在する各携帯電話会社における多種多様な携帯電話機においてこれら３次元イメージを利用できるようにするためには、各携帯電話会社や携帯電話機のメモリ容量やＣＰＵの処理能力に応じた３次元イメージデータを予め複数作成して、これら作成した３次元イメージデータを配信可能にアップロードしておく必要があり、これら複数の３次元イメージデータを作成したり、アップロードしたり、更には更新する場合においても、これら全ての３次元イメージデータを更新しなくてはならないという問題があった。
【０００７】
本発明は、このような問題点に着目してなされたもので、複数の３次元イメージデータを作成してアップロードしたり、更にはこれら全ての３次元イメージデータを更新する必要がなく、複数存在する各携帯電話会社における多種多様な携帯電話機等の利用者端末において３次元イメージを利用することのできる３次元イメージデータ配信装置並びに３次元イメージデータ配信方法を提供することを目的とする。
【課題を解決するための手段】
【０００８】
上記課題を解決するために、本発明の請求項１に記載の３次元イメージデータ配信装置は、
オープンコンピュータネットワークを介して接続されたアクセス利用者が携行可能な利用者端末に対して、対象物を複数の異なる角度から撮像した画像を含み、隣接する異なる角度からの撮像画像を連続的に更新表示することで対象物の３次元イメージを再生表示可能とされた３次元イメージデータを配信する３次元イメージデータ配信装置であって、
狭い角度間隔における画像を含むことで高品質な３次元イメージを再生可能とされたマスター３次元イメージデータを記憶するためのマスターデータ記憶手段と、
前記アクセス利用者の利用者端末から、当該利用者端末の機器状況を特定可能な機器状況特定情報を取得する機器状況特定情報取得手段と、
前記機器状況特定情報取得手段にて取得した機器状況特定情報から特定される機器状況に基づいて、前記マスター３次元イメージデータに含まれる狭い角度間隔における複数の画像の内から、特定した利用者端末の機器状況に応じた画像数となるように画像を抽出することで間引いた画像、或いはマスター３次元イメージデータに含まれる各画像の解像度を低下させた画像を含む配信用３次元イメージデータを生成する配信用データ生成手段と、
前記配信用データ生成手段にて生成された配信用３次元イメージデータを、アクセス利用者の利用者端末に対して配信する配信手段と、
を備えることを特徴としている。
この特徴によれば、マスター３次元イメージデータから利用者が携行する多種多様な利用者端末の機器状況に応じて間引かれた画像、或いは解像度を低下させた画像を含む配信用３次元イメージデータが生成されて配信されるので、複数の配信用３次元イメージデータを作成してアップロードしたり、更にはこれら予め作成してアップロードした全ての３次元イメージデータを更新する必要なく、複数存在する各携帯電話会社における多種多様な携帯電話機等の利用者端末において３次元イメージを利用することができる。
【０００９】
本発明の請求項２に記載の３次元イメージデータ配信装置は、請求項１に記載の３次元イメージデータ配信装置であって、
前記利用者端末が携帯電話機であって、
各携帯電話機の機種名に対応付けて、当該携帯電話機の機器状況が記憶された機種名テーブルを記憶する機種名テーブル記憶手段を備え、
前記機器状況特定情報取得手段は前記機器状況特定情報として機種名を取得し、
前記配信用データ生成手段は、取得した機種名に対応して前記機種名テーブルに記憶されている機器状況に基づいて前記配信用３次元イメージデータを生成することを特徴としている。
この特徴によれば、携帯電話機の機種名は、通常においてオープンコンピュータネットワークであるインターネット網上のプロトコルにおいてリクエストデータに付加されており、これら機種名を簡便に取得でき、よって該取得した機種名から機器状況を特定できる。
【００１０】
本発明の請求項３に記載の３次元イメージデータ配信装置は、請求項１または２に記載の３次元イメージデータ配信装置であって、
前記機器状況特定情報取得手段は、アクセスしてきた前記利用者端末における前記配信用３次元イメージデータの再生に使用可能なメモリの空き容量を特定可能な情報を少なくとも取得し、
前記配信用データ生成手段は、少なくとも取得した使用可能なメモリの空き容量に基づいて前記配信用３次元イメージデータを生成することを特徴としている。
この特徴によれば、機種名等により特定される機器状況においては、利用者端末に搭載されているメモリ容量は特定できるが、実際には、これら搭載されているメモリ容量の全てを配信用３次元イメージデータの再生に使用することはできないので、実際に再生に使用することのできる空きメモリ容量に応じた配信用３次元イメージデータを生成することができ、これら空きメモリ容量の不足により配信用３次元イメージデータの再生が良好になされなくなることを極力回避することができる。
【００１１】
本発明の請求項４に記載の３次元イメージデータ配信装置は、請求項１〜３のいずれかに記載の３次元イメージデータ配信装置であって、
前記マスター３次元イメージデータには、各画像にリンクされた関連情報から成る付随データを付与可能であって、
前記マスター３次元イメージデータに前記付随データが付与されているか否かを判定する付随データ有無判定手段を備え、
前記配信用データ生成手段は、前記マスター３次元イメージデータに付随データが付与されているときは、該付随データの削除を優先的に実施することを特徴としている。
この特徴によれば、付随データが付加されている場合には、該付随データが優先的に削除されるので、これら付随データが付加されたままとなることで、過度に間引かれた配信用３次元イメージデータが生成されることを回避できる。
【００１２】
本発明の請求項５に記載の３次元イメージデータ配信装置は、請求項１〜４のいずれかに記載の３次元イメージデータ配信装置であって、
前記配信用３次元イメージデータに基づく３次元イメージを再生するための各機器状況に対応した複数の再生アプリケーションプログラムを記憶する再生アプリケーションプログラム記憶手段と、
前記機器状況特定情報取得手段にて取得した機器状況特定情報から特定される機器状況に基づいて、前記再生アプリケーションプログラム記憶手段に記憶されている再生アプリケーションプログラムの内、該特定した機器状況に該当する再生アプリケーションプログラムを特定するアプリケーション特定手段と、
前記アプリケーション特定手段にて特定した再生アプリケーションプログラムを、前記機器状況特定情報を取得した利用者端末に対して配信する再生アプリ配信手段と、
を備えることを特徴としている。
この特徴によれば、利用者は、自身が携行する利用者端末に合致した再生アプリケーションプログラムを簡便に入手することができる。
【００１３】
本発明の請求項６に記載の３次元イメージデータの提供方法は、
対象物を複数の異なる角度から撮像した画像を含み、隣接する異なる角度からの撮像画像を連続的に更新表示することで対象物の３次元イメージを再生表示可能とされ、オープンコンピュータネットワークを介して接続されたアクセス利用者が携行可能な利用者端末に対して配信される当該利用者端末に応じた３次元イメージデータを、前記オープンコンピュータネットワークに接続されたサーバコンピュータにより提供する３次元イメージデータの提供方法であって、
狭い角度間隔における画像を含むことで高品質な３次元イメージを再生可能とされたマスター３次元イメージデータを取得するマスターデータ取得ステップと、
３次元イメージデータを配信する配信対象の利用者端末の機器状況を特定可能な機器状況特定情報を取得する機器状況特定情報取得ステップと、
前記機器状況特定情報取得ステップにて取得した機器状況特定情報から特定される機器状況に基づいて、前記マスターデータ取得ステップにて取得したマスター３次元イメージデータに含まれる狭い角度間隔における複数の画像の内から、特定した利用者端末の機器状況に応じた画像数となるように画像を抽出することで間引いた画像、或いはマスター３次元イメージデータに含まれる各画像の解像度を低下させた画像を含む配信用３次元イメージデータを生成する配信用データ生成ステップと、
前記配信用データ生成ステップにて生成された配信用３次元イメージデータを、アクセス利用者の利用者端末或いは該アクセス利用者の利用者端末に対して当該配信用３次元イメージデータを配信するためのコンテンツサーバに対して配信する配信ステップと、
を備えることを特徴としている。
この特徴によれば、マスター３次元イメージデータから利用者が携行する多種多様な利用者端末の機器状況に応じて間引かれた画像、或いは解像度を低下させた画像を含む配信用３次元イメージデータが生成されて配信されるので、複数の配信用３次元イメージデータを作成してアップロードしたり、更にはこれら予め作成してアップロードした全ての３次元イメージデータを更新する必要なく、複数存在する各携帯電話会社における多種多様な携帯電話機等の利用者端末において３次元イメージを利用することができる。また、マスター３次元イメージデータのみを所有するコンテンツ提供者は、サーバコンピュータより簡便に利用者の利用者端末の機器状況に応じた配信用３次元イメージデータを入手することができる。
【００１４】
本発明の請求項７に記載の３次元イメージデータの提供方法は、請求項６に記載の３次元イメージデータの提供方法であって、
前記利用者端末が携帯電話機であって、
前記機器状況特定情報取得ステップにおいては、前記機器状況特定情報として機種名を取得し、
前記配信用データ生成ステップにおいては、各携帯電話機の機種名に対応付けて当該携帯電話機の機器状況が記憶された機種名テーブルにおいて、取得した機種名に対応して記憶されている機器状況に基づいて前記配信用３次元イメージデータを生成することを特徴としている。
この特徴によれば、携帯電話機の機種名は、通常においてオープンコンピュータネットワークであるインターネット網上のプロトコルにおいてリクエストデータに付加されており、これら機種名を簡便に取得でき、よって該取得した機種名から機器状況を特定できる。
【００１５】
本発明の請求項８に記載の３次元イメージデータの提供方法は、請求項６または７に記載の３次元イメージデータの提供方法であって、
前記機器状況特定情報取得ステップにおいては、前記配信用３次元イメージデータの再生に使用可能な前記配信対象の利用者端末におけるメモリの空き容量を特定可能な情報を少なくとも取得し、
前記配信用データ生成ステップにおいては、少なくとも取得した使用可能なメモリの空き容量に基づいて前記配信用３次元イメージデータを生成することを特徴としている。
この特徴によれば、機種名等により特定される機器状況においては、利用者端末に搭載されているメモリ容量は特定できるが、実際には、これら搭載されているメモリ容量の全てを配信用３次元イメージデータの再生に使用することはできないので、実際に再生に使用することのできる空きメモリ容量に応じた配信用３次元イメージデータを生成することができ、これら空きメモリ容量の不足により配信用３次元イメージデータの再生が良好になされなくなることを極力回避することができる。
【００１６】
本発明の請求項９に記載の３次元イメージデータの提供方法は、請求項６〜８のいずれかに記載の３次元イメージデータの提供方法であって、
前記マスター３次元イメージデータには、各画像にリンクされた関連情報から成る付随データを付与可能であって、
前記マスター３次元イメージデータに前記付随データが付与されているか否かを判定する付随データ有無判定ステップを含み、
前記配信用データ生成ステップにおいては、前記マスター３次元イメージデータに付随データが付与されているときは、該付随データの削除を優先的に実施することを特徴としている。
この特徴によれば、付随データが付加されている場合には、該付随データが優先的に削除されるので、これら付随データが付加されたままとなることで、過度に間引かれた配信用３次元イメージデータが生成されることを回避できる。
【００１７】
本発明の請求項１０に記載の３次元イメージデータの提供方法は、請求項６〜９のいずれかに記載の３次元イメージデータの提供方法であって、
前記機器状況特定情報取得手段にて取得した機器状況特定情報から特定される機器状況に基づいて、前記配信用３次元イメージデータに基づく３次元イメージを再生するための各機器状況に対応した複数の再生アプリケーションプログラムの内、該特定した機器状況に該当する再生アプリケーションプログラムを特定するアプリケーション特定ステップと、
前記アプリケーション特定ステップにて特定した再生アプリケーションプログラムを、前記配信対象の利用者端末に対して配信する再生アプリ配信ステップと、
を備えることを特徴としている。
この特徴によれば、利用者は、自身が携行する利用者端末に合致した再生アプリケーションプログラムを簡便に入手することができる。
【発明を実施するための最良の形態】
【００１８】
本発明の実施例を以下に説明する。
【実施例１】
【００１９】
図１は、本発明を適用した３次元イメージデータ配信装置としての本実施例１の変換サーバ１およびコンテンツサーバ２により構成され、本発明の３次元イメージデータ配信方法を提供する本実施例の配信システムの構成を示す図である。
【００２０】
本実施例の配信システムは、オープンコンピュータネットワークとしてのインターネット網３に接続された本発明の利用者端末としての携帯電話機４と、インターネット網３を介して受信した携帯電話機４からのコンテンツファイルの配信要求に基づいてコンテンツを変換サーバ１に送信するコンテンツサーバ２と、コンテンツサーバ２から受信したコンテンツファイルを当該コンテンツファイルに対する配信要求を送信してきた利用者の携帯電話機４にて再生可能に変換する変換サーバ１と、から主に構成される。すなわち、本実施例では、変換サーバ１とコンテンツサーバ２により本発明の３次元イメージデータ配信装置が形成されている。
【００２１】
本実施例の変換サーバ１は、図１に示すように、ＣＰＵの制御プログラム等を格納するＲＯＭ、コンテンツファイルを受信する処理や、コンテンツファイルを変換する変換処理や、コンテンツファイルを送受信する処理等を実施するための各種処理プログラムを実行するＣＰＵ、必要なデータの書き込み及び読み出しを行うＲＡＭを備える制御部１０１と、前述の各種処理プログラムや、後述する各種データテーブル（図２参照）や、変換処理されたコンテンツファイルや、アプリケーションプログラム（以下、アプリと略称する）の実行機能を有する携帯電話機４にて実行されることでコンテンツファイルを表示するコンテンツ取得／表示アプリを記憶する記憶部１０２と、インターネット網３を介して携帯電話機４やコンテンツサーバ２とデータの送受信を行うための通信インタフェースとしての通信部１０３とから構成されており、比較的高速の演算処理が可能な通常のサーバコンピュータとされている。
【００２２】
尚、記憶部１０２に記憶されるコンテンツ取得／表示アプリは、携帯電話機４ごとに、一般には携帯電話機４にサービスを提供する通信事業者ごとに定められているアプリ種別ごとに、予め作成されるとともに、アプリ種別に対応付けて記憶部１０２に記憶されている。
【００２３】
つまり、本実施例のコンテンツ取得／表示アプリは、本発明の再生アプリケーションプログラムを形成する。さらに、コンテンツ取得／表示アプリを記憶する本実施例の記憶部１０２は、本発明の再生アプリケーションプログラム記憶手段を形成する。
【００２４】
また、変換サーバ１の記憶部１０２には、図２（ａ）に示すように、携帯電話機４の機種を特定可能な機種名に対応付けて、携帯電話機４に搭載されている通信処理プログラムにて利用可能なパケット通信規格の種別である通信種別、携帯電話機４のＣＰＵやメモリ等からなる制御部（図示略）にて実行可能なアプリケーションプログラムの種別であるアプリケーション環境種別、ＣＰＵ（図示略）の種別であるＣＰＵ種別、携帯電話機４の液晶ディスプレイ（図示略）等にて形成される表示領域の横方向のドット数である画面サイズ（横）、表示領域の縦方向のドット数である画面サイズ（縦）、携帯電話機４に搭載されている画像表示処理プログラムにて表示可能な画像フォーマットである対応画像フォーマット等からなる携帯電話機４の機種情報を登録するための機種情報テーブルが記憶されている。
【００２５】
つまり、本実施例の機種情報テーブルにおいては、携帯電話機４の機種名に対応付けて、当該携帯電話機の機器状況となる携帯電話機４の機種情報が記憶されており、該機種情報テーブルによって本発明の機種名テーブル記憶手段が形成されている。
【００２６】
また、変換サーバ１の記憶部１０２には、図２（ｂ）に示すように、コンテンツサーバ２を識別可能なコンテンツサーバＩＤに対応付けて、当該コンテンツサーバ２のＩＰアドレスやホスト名等からなり、当該変換サーバ１と利用契約を予め締結しているコンテンツサーバ２の情報、すなわち契約サーバ情報を登録するための契約サーバ情報テーブルが記憶されている。
【００２７】
この契約サーバ情報テーブル（図２（ｂ）参照）により、変換サーバ１の制御部１０１は、当該変換サーバ１へのコンテンツサーバ２の接続に際して、該接続してきたコンテンツサーバ２のＩＰアドレスやホスト名に基づいて、当該変換サーバ１への接続を受け入れるか否かを判定できるようになっている。
【００２８】
本実施例のコンテンツサーバ２は、図１に示すように、ＣＰＵの制御プログラム等を格納するＲＯＭ、インターネット網３を介して携帯電話機４からコンテンツの配信要求を受付けて変換サーバ１との間でコンテンツを送受信する処理や、携帯電話機４にコンテンツを送信する処理等を実施するための各種処理プログラムを実行するＣＰＵ、必要なデータの書き込み及び読み出しを行うＲＡＭを備える制御部２０１と、前述の各種処理プログラムや、コンテンツファイルや、コンテンツ情報テーブル（図示略）を記憶する記憶部２０２と、インターネット網３を介して携帯電話機４や変換サーバ１とデータの送受信を行うための通信インタフェースとしての通信部２０３とから構成されており、比較的高速の演算処理が可能な通常のサーバコンピュータとされている。
【００２９】
また、コンテンツサーバ２の記憶部２０２には、図示しないが、コンテンツファイルを識別可能なコンテンツＩＤに対応付けて、コンテンツファイルの名称としてのコンテンツ名と、コンテンツファイルを特定可能なファイル名等からなるコンテンツ情報を登録するためのコンテンツ情報テーブルが記憶されている。
【００３０】
また、コンテンツサーバ２の記憶部２０２には、コンテンツファイルが記憶されている。ここで、コンテンツファイルの構造について説明すると、本実施例のコンテンツファイルは、ヘッダ部と、データ部とから構成される。ヘッダ部は、全体ヘッダ、拡大画像ヘッダ、連続画ヘッダ、テキストヘッダ、ＵＲＬ（Universal Resource Locator）ヘッダ、効果音ヘッダから構成される。データ領域は、画像データ、拡大画像データ、連続画データ、テキストデータ、ＵＲＬデータ、効果音データから構成される。
【００３１】
ヘッダ部に含まれる全体ヘッダは、コンテンツファイルに含まれる全データの管理情報を記憶するためのデータであり、コンテンツファイル全体のデータ容量である総データサイズ、含まれる画像データの横方向のドット数であるサイズ（横）、縦方向のドット数であるサイズ（縦）、後述する横方向画像数（１〜１２のいずれか）、後述する縦方向画像数（１〜７のいずれか）、データ形態（０、１、２、４のいずれか）、コンテンツファイルに含まれる各種データ数を示す画像データ数、拡大画像データ数、連続画データ数、テキストデータ数、ＵＲＬデータ数、効果音データ数から構成される。
【００３２】
ここで、本実施例のコンテンツファイルに含まれる画像データについて説明すると、コンテンツファイルには少なくとも１個（本実施例では最大で８４個）の画像データが含まれており、これら画像データは対象物を複数の異なる角度から撮像することにより生成される。
【００３３】
具体的な画像データの生成方法について説明すると、各画像データは、対象物を中心として水平（横方向）に形成された円弧上に配置された撮像位置から、対象物を撮像することにより生成される。撮像位置は、円弧上の配置個数に応じて円弧上に等間隔に、例えば、２個であれば１８０度ごと、３個であれば１２０度ごと、・・・１２個であれば３０度ごとに配置されるようになっている。これら画像データにより、隣接する異なる角度からの撮像画像を、利用者操作に応じてもしくは自動的に連続的に更新表示することで対象物の３次元イメージを再生表示可能とされた３次元イメージデータが構成されることとなる。
【００３４】
尚、本実施例では、横方向画像数は１〜１２個のいずれかとされており、１２個の場合には、図７に示すように、狭い角度（３０度ごと）間隔における複数の画像を連続的に更新表示することで、滑らかに回転している様子を示す対象物の３次元イメージが再生表示可能とされる。すなわち、これら画像データを連続的に表示することにより、利用者は、表示画像を３次元イメージとして認識するようになる。また、この更新表示は利用者のボタン操作に応じて実施することも可能で、この機能により利用者は物体がそこにあるかのような感覚を得ることができる。
【００３５】
また、同様の撮像を、対象物から見た縦方向の角度を変化させた位置において行うことにより、同じ高さ（０度、対象物と同じ高さ）、斜め上（３０度、６０度）、真上（９０度）、斜め下（−３０度、−６０度）、真下（−９０度）から対象物が回転している様子を撮像した画像データを生成することができる。
【００３６】
尚、本実施例では、縦方向画像数は１〜７個（０度、±３０度、±６０度、±９０度、）のいずれかとされており、１個の場合は同じ高さのみ（０度）、２個の場合は１個の場合に加えて斜め上（３０度）、３個の場合は２個の場合に加えて斜め上（６０度）、４個の場合は３個の場合に加えて真上（９０度）、５個の場合は４個の場合に加えて斜め下（−３０度）、６個の場合は５個の場合に加えて斜め下（−６０度）、７個の場合は６個の場合に加えて真下（−９０度）から撮像した横方向画像数個の画像データがコンテンツファイルに含まれることとなる。
【００３７】
すなわち、本実施例のコンテンツファイルに含まれる画像データ数は、最小で１（横方向画像数）×１（縦方向画像数）＝１個、最大で１２（横方向画像数）×７（縦方向画像数）＝８４個となり、その個数は全体ヘッダの画像データ数に記憶される。
【００３８】
ヘッダ部に含まれる全体ヘッダを構成するデータ形態（０、１、２、４のいずれか）について説明すると、当該コンテンツファイルが、コンテンツサーバ２に記憶されているコンテンツファイルと同じである場合、すなわち未変換のコンテンツファイルである場合は０、画像データが間引かれたコンテンツファイルである場合は１、画像データ以外のデータ（後述のリンクデータ）が間引かれたコンテンツファイルである場合は２、画像データのフォーマットが変更されたコンテンツファイルである場合は４、が記憶されるようになっている。
【００３９】
次いで、コンテンツファイルに含まれる画像データ以外のデータ、具体的には、拡大画像データ、連続画データ、テキストデータ、ＵＲＬデータ、効果音データについて説明する。これらデータは主たるコンテンツである画像データ内に設定される矩形領域に対応（リンク）付けられており、これらデータがリンクされた画像データの矩形領域が利用者により選択されると、該選択された矩形領域にリンクされたこれらデータが表示されるようになっている。そこで、これら画像データ以外のデータである拡大画像データ、連続画データ、テキストデータ、ＵＲＬデータ、効果音データを、以降ではリンクデータと総称する。
【００４０】
拡大画像データは対象物の拡大画像であり、連続画データは複数の画像から形成される連続画像としての動画であり、テキストデータは文章であり、各々対応付けられた画像データの矩形領域が利用者に選択されると表示される。ＵＲＬデータはインターネット網３上の公開情報のアドレスであり、各々対応付けられた画像データの矩形領域が利用者に選択されると当該公開情報が取得されて表示される。効果音データは音声データであり、対応付けられた画像データの矩形領域が利用者により選択されると出力される。
【００４１】
つまり、本実施例のリンクデータである拡大画像データ、連続画データ、テキストデータ、ＵＲＬデータ、効果音データは、本発明の付随データを形成する。
【００４２】
コンテンツファイルには、これらリンクデータが各々０個以上含まれており、その個数は、ヘッダ部に含まれる全体ヘッダを構成する拡大画像データ数、連続画データ数、テキストデータ数、ＵＲＬデータ数、効果音データ数に記憶される。
【００４３】
ヘッダ部に含まれるリンクデータのヘッダ、具体的には、拡大画像ヘッダ、連続画ヘッダ、テキストヘッダ、ＵＲＬヘッダ、効果音ヘッダは、リンクデータごとに個別に記憶されており、各々のリンクデータがリンクしている画像データや、当該画像データに設定される矩形領域を特定可能に記憶している。
【００４４】
次いで、コンテンツファイルのデータ部に含まれる画像データ、拡大画像データ、連続画データ、テキストデータ、ＵＲＬデータ、効果音データについて説明すると、これらデータには、当該データのデータサイズと、当該データの包含タイプ（本実施例では１または２のいずれか）と、が共通項目として記憶されている。
【００４５】
尚、データ部に含まれる各データを構成する包含タイプは、当該データの包含形態を示す整数値であり、当該データを含む場合には１、当該データを含まない場合には２が記憶される。すなわち、包含タイプに２が記憶されたデータは、当該データが元々のコンテンツファイル（コンテンツサーバ２の記憶部２０２に記憶されているコンテンツファイル）から間引かれている旨を示す。
【００４６】
つまり、本実施例のコンテンツファイルは、対象物を複数の異なる角度から撮像した画像を含み、隣接する異なる角度からの撮像画像を連続的に更新表示することで対象物の３次元イメージを再生表示可能とされており、本発明の３次元イメージデータに該当する。
【００４７】
次いで、本実施例１の配信システムにおいて、利用者の配信要求に基づいてコンテンツが変換されて、利用者に配信される流れについて、図３（ａ）、（ｂ）に基づいて以下に説明する。
【００４８】
利用者は、まず、携帯電話機４で動作しているブラウザソフトを操作して、コンテンツサーバ２にアクセスすることで、コンテンツサーバ２のコンテンツ情報テーブル（図示略）に記憶されている全コンテンツのコンテンツＩＤ（リスト）を含むコンテンツ選択ページ（図示略）をブラウザソフトに表示させる。
【００４９】
コンテンツ選択ページ（図示略）が表示されている携帯電話機４のブラウザソフトに対して、利用者は、配信要求の対象とするコンテンツのコンテンツＩＤを選択入力する。そして、コンテンツＩＤが選択入力されると、コンテンツＩＤと、携帯電話機４の機種情報を含む配信要求が、図３（ａ）に示すように、コンテンツサーバ２に送信される。
【００５０】
尚、携帯電話機４の機種情報とは、少なくとも機種名を特定可能な情報であり、具体的には、ＨＴＴＰ（Hyper Text Transfer Protocol）リクエストのヘッダ情報に含まれるユーザエージェント情報として、携帯電話機４からコンテンツサーバ２に送信される。
【００５１】
配信要求を受信したコンテンツサーバ２は、配信要求に含まれるコンテンツＩＤに対応付けてコンテンツ情報テーブル（図示略）に記憶されているコンテンツファイル名を特定し、この特定したコンテンツファイル名にて取得されるコンテンツファイルと、受信した配信要求に含まれるコンテンツＩＤと、受信した機種情報とからなる変換要求を、変換サーバ１に送信する。
【００５２】
変換サーバ１は、変換要求を受信する変換要求受信処理を行い、受信した変換要求に含まれる携帯電話機４の機種情報に含まれる機種名に対応付けて、変換サーバ１の機種情報テーブル（図２（ａ）参照）に記憶されている機種情報を特定し、該特定した携帯電話機４の機種情報に応じてコンテンツファイルを変換するための変換処理を行う。
【００５３】
変換サーバ１が行う変換処理は後に詳述するが、簡略に説明すると、携帯電話機４がアプリケーションプログラムの実行機能を有する場合には、変換要求に含まれるコンテンツファイルを変換要求に含まれるコンテンツＩＤに対応付けて記憶部１０２に記憶するとともに、該コンテンツＩＤと変換されたコンテンツファイルを取得するためのＷｅｂページのアドレスが設定されたコンテンツ取得／表示アプリを取得するためのＷｅｂページのアドレスをコンテンツサーバ２に送信する。また、携帯電話機４がアプリの実行機能を有しない場合には、変換されたコンテンツファイルを取得するためのＷｅｂページのアドレスをコンテンツサーバ２に送信する。
【００５４】
コンテンツ取得／表示アプリまたは変換されたコンテンツファイルを取得するためのＷｅｂページのアドレスを受信したコンテンツサーバ２は、該アドレスを携帯電話機４に送信する。
【００５５】
変換されたコンテンツファイルを取得するためのＷｅｂページのアドレスを受信した携帯電話機４は、該アドレスに接続することで、変換されたコンテンツファイルを取得して表示（再生）する。また、コンテンツ取得／表示アプリを取得するためのＷｅｂページのアドレスを受信した携帯電話機４は、該アドレスに接続することで、コンテンツ取得／表示アプリを取得して実行する。
【００５６】
携帯電話機４の制御部（図示略）においてコンテンツ取得／表示アプリが実行されて、コンテンツファイルが表示される流れを、図３（ｂ）に基づいて説明していく。
【００５７】
まず、携帯電話機４は、コンテンツ取得／表示アプリの実行に基づいて、当該携帯電話機４の詳細な機種情報（例えば、コンテンツ取得／表示アプリが利用可能なメモリの空き容量等）を収集する。
【００５８】
収集した詳細な機種情報とコンテンツ取得／表示アプリに設定されているコンテンツＩＤを含む取得要求を、コンテンツ取得／表示アプリに設定されているコンテンツファイルを取得するためのＷｅｂページのアドレスに接続することで、変換サーバ１に送信する。
【００５９】
取得要求を受信した変換サーバ１は、取得要求に含まれるコンテンツＩＤに対応付けて記憶部１０２に記憶されているコンテンツファイルを特定し、該特定したコンテンツファイルに対して後述の変換処理を行う。その後、変換されたコンテンツファイルを携帯電話機４で実行中のコンテンツ取得／表示アプリに送信する。
【００６０】
変換されたコンテンツを受信したコンテンツ取得／表示アプリは、該変換されたコンテンツファイルを表示（再生）する。また、コンテンツ取得／表示アプリは、利用者から終了操作を受付けることで、実行を終了する。
【００６１】
尚、本実施例のコンテンツ取得／表示アプリは、利用者により配信要求が実施されたコンテンツのコンテンツＩＤが設定されており、携帯電話機４にて実行されることで、該コンテンツＩＤに対応付けられたコンテンツを変換サーバ１から取得して表示する構成とされているが、本発明はこれに限定されるものではなく、設定されているコンテンツＩＤ以外のコンテンツを取得して実行する構成としても良い。
【００６２】
この場合には、コンテンツ取得／表示アプリに「コンテンツ選択」等のメニューを設け、この「コンテンツ選択」メニューが選択されることで、携帯電話機４は、コンテンツサーバ２にコンテンツ一覧取得要求を送信する。その後、携帯電話機４は、コンテンツサーバ２のコンテンツ情報テーブル（図示略）に記憶されている全コンテンツＩＤを含むコンテンツ一覧情報（リスト）を取得して、いずれかのコンテンツＩＤを選択可能に表示するとともに、利用者からいずれかのコンテンツＩＤの選択入力を受付けて、当該携帯電話機４の機種情報と、選択されたコンテンツＩＤを含む配信要求をコンテンツサーバ２に送信する。そして、以降は、図３（ａ）に基づいて前述したように、変換サーバ１にて変換されたコンテンツを取得して表示するための処理を行う。
【００６３】
携帯電話機４において、利用者の配信要求に基づいてコンテンツが配信される流れについて、図５（ａ）、（ｂ）に基づいて説明していく。
【００６４】
図５（ａ）は、アプリの実行機能を有さない携帯電話機４の処理の流れを示すフローチャートである。アプリの実行機能を有さない携帯電話機４は、ブラウザソフトのみを利用して、コンテンツの取得と表示を行う。
【００６５】
まず、携帯電話機４は、ブラウザソフトを介して利用者のコンテンツサーバ２への接続要求を受付けて、コンテンツサーバ２に接続することで、コンテンツサーバ２のコンテンツ情報テーブル（図示略）に記憶されている全コンテンツＩＤを含むコンテンツ一覧情報（リスト）を取得して、いずれかのコンテンツＩＤを選択可能に（リスト）表示する。
【００６６】
携帯電話機４は、ブラウザソフトを介して、利用者からいずれかのコンテンツＩＤの選択入力を受付けると、当該携帯電話機４の機種情報と、選択されたコンテンツＩＤを含む配信要求をコンテンツサーバ２に送信する。
【００６７】
携帯電話機４は、コンテンツサーバ２から、ブラウザソフトにて表示可能に変換されたコンテンツとしての、コンテンツファイルに含まれる１枚目の画像データを含むＷｅｂページのアドレスを取得する。
【００６８】
そして、携帯電話機４は、取得したアドレスに接続することで、画像データを含むＷｅｂページを取得して、ブラウザソフトの表示更新により取得したＷｅｂページを表示する。
【００６９】
この画像データを含むＷｅｂページは、コンテンツファイルに含まれていた画像データに基づいて、縦（上下）方向や、横（左右）方向への操作指示を受付可能に形成されている。具体的には、元々のコンテンツファイルが、表示中のＷｅｂページに含まれる画像データの上側や、下側や、左側や、右側の撮像位置から撮像した画像データを含んでいる場合には、表示中のＷｅｂページは、異なる撮像位置からの画像データが存在する方向（上下左右）への操作指示を受付可能とされている。
【００７０】
携帯電話機４は、ブラウザソフトを介して、利用者からいずれかの方向への操作指示を受付けると、操作指示された方向に該当する画像データを含むＷｅｂページの取得要求をコンテンツサーバ２に送信することで、画像データを含むＷｅｂページを取得して、ブラウザソフトの表示更新により取得したＷｅｂページを表示する。
【００７１】
以降は、携帯電話機４は、ブラウザソフトを介した操作指示受付と、Ｗｅｂページ取得、表示更新を繰り返す。
【００７２】
図５（ｂ）は、アプリの実行機能を有する携帯電話機４の処理の流れを示すフローチャートである。アプリの実行機能を有する携帯電話機４は、ブラウザソフトおよびコンテンツ取得／表示アプリを利用して、コンテンツの取得と表示を行う。
【００７３】
まず、携帯電話機４は、ブラウザソフトを介して利用者のコンテンツサーバ２への接続要求を受付けて、コンテンツサーバ２に接続することで、コンテンツサーバ２のコンテンツ情報テーブル（図示略）に記憶されている全コンテンツＩＤを含むコンテンツ一覧情報（リスト）を取得して、いずれかのコンテンツＩＤを選択可能に（リスト）表示する。
【００７４】
携帯電話機４は、ブラウザソフトを介して、利用者からいずれかのコンテンツＩＤの選択入力を受付けると、当該携帯電話機４の機種情報と、選択されたコンテンツＩＤを含む配信要求をコンテンツサーバ２に送信する。
【００７５】
携帯電話機４は、配信要求に含まれるコンテンツＩＤと、コンテンツファイルを取得するためのＷｅｂページのアドレスが設定されているコンテンツ取得／表示アプリを取得するためのＷｅｂページのアドレスを取得し、該アドレスに接続することでさらにコンテンツ取得／表示アプリを取得して実行する。
【００７６】
尚、すでにコンテンツ取得／表示アプリを記憶している場合には、コンテンツ取得／表示アプリのみを利用して、コンテンツ一覧情報（リスト）の取得と（リスト）表示、コンテンツＩＤの選択入力受付けと、携帯電話機４の機種情報と選択されたコンテンツＩＤを含む配信要求の送信とを行っても良い。また、この場合には、コンテンツ取得／表示アプリを取得するためのＷｅｂページのアドレスではなく、変換されたコンテンツを取得するためのＷｅｂページのアドレスを、コンテンツサーバ２から取得するようにすれば良い。
【００７７】
このコンテンツ取得／表示アプリは、配信要求に含まれているコンテンツＩＤと、コンテンツファイルを取得するためのＷｅｂページのアドレスとが設定されており、また、詳細な機種情報の収集機能と、Ｗｅｂページのアドレスに接続する機能と、コンテンツファイルの表示機能等を有しており、実行されると、詳細な機種情報を収集し、該収集した詳細な機器情報と、コンテンツＩＤとを含む取得要求を、コンテンツファイルを取得するためのＷｅｂページのアドレスに接続することで変換サーバ１に送信し、詳細な機器情報に基づいて変換されたコンテンツファイルを変換サーバ１から受信する。
【００７８】
変換されたコンテンツファイルを受信した携帯電話機４は、該コンテンツファイルに含まれる画像データのうち、先頭に記憶されている画像データを表示する。
【００７９】
また、コンテンツファイルには、前述したように、１つ以上の画像データが記憶されており、複数記憶されている場合には、縦（上下）方向や、横（左右）方向に視点を連続的に移動させながら撮像した画像データが記憶されており、これら連続的に撮像された画像データを縦（上下）方向や、横（左右）方向へ連続表示することで、利用者は３次元イメージを認識できるようになっている。
【００８０】
携帯電話機４のコンテンツ取得／表示アプリは、利用者から縦（上下）方向や、横（左右）方向への操作指示を受付けて、操作指示された方向に該当する画像データを連続的に更新表示することで、３次元イメージの再生表示を行う。
【００８１】
以降、携帯電話機４のコンテンツ取得／表示アプリは、操作指示受付と表示更新を繰り返す。
【００８２】
図６は、変換サーバ１における変換処理の詳細な処理内容を示すフローチャートである。
【００８３】
変換サーバ１は、携帯電話機４から送信された配信要求に含まれる携帯電話機４の機種情報に基づいて、携帯電話機４の機種判定を行う。具体的には、ＨＴＴＰ（Hyper Text Transfer Protocol）リクエストデータに含まれるユーザエージェント情報に基づいて、少なくとも携帯電話機４の機種名が特定される。更に、特定された機種名に対応付けて、変換サーバ１の記憶部１０２の機種情報テーブル（図２（ａ）参照）に登録されている画面サイズ（縦）、画面サイズ（横）、対応画像フォーマット、アプリケーション環境種別（アプリの実行機能の有無、実行可能なアプリの種別）等が特定される。
【００８４】
特定したアプリケーション環境種別に基づいて、変換サーバ１は、携帯電話機４がアプリの実行機能を有するか否かを判定する。
【００８５】
更に、特定したアプリケーション環境種別に基づいて、変換サーバ１は、携帯電話機４にて実行可能なアプリの種別を判定する。
【００８６】
アプリの実行機能を有さないと判定した場合には、変換サーバ１は、コンテンツサーバ２から取得したコンテンツファイルを特定し、該コンテンツファイルに含まれる３次元イメージを構成する画像データをすべて抽出し、これら画像データの画像フォーマットを対応画像フォーマットに変換する。
【００８７】
画像データの画像フォーマットを変換した変換サーバ１は、これら画像データを１個ずつＷｅｂページ化する。言い換えると、１個の画像データを含むＷｅｂページを画像データの数だけ生成し、これらＷｅｂページを、コンテンツファイルにおける画像データの縦（上下）方向や、横（左右）方向のつながりに基づいて、縦（上下）方向や、横（左右）方向への操作指示により表示更新されるようにリンク付けするとともに、これら生成したＷｅｂページを記憶部１０２に記憶する。
【００８８】
Ｗｅｂページ化を行った変換サーバ１は、コンテンツファイルにおいて先頭に記憶されていた画像データを含むＷｅｂページのアドレスを配信して変換処理を終了する。
【００８９】
アプリの実行機能を有すると判定した場合には、変換サーバ１は、携帯電話機４の詳細な機種情報を受信したかを判定する。詳細な機種情報を受信していない場合には、携帯電話機４が送信した配信要求に含まれる機種情報に基づいて機種名を特定し、該機種名に対応付けて機種情報テーブル（図２（ａ）参照）に記憶されているアプリケーション種別を特定することで当該携帯電話機４のアプリ種別を特定し、該アプリ種別に対応付けて記憶部１０２に記憶されているコンテンツ取得／表示アプリを特定する。
【００９０】
そして、コンテンツ取得／表示アプリを特定した変換サーバ１は、携帯電話機４が送信した配信要求に含まれるコンテンツＩＤと、コンテンツサーバ２から取得したコンテンツファイルを携帯電話機４にて取得するためのＷｅｂページのアドレスをコンテンツ取得／表示アプリに設定し、該コンテンツ取得／表示アプリを取得するためのＷｅｂページのアドレスを配信して処理を終了する。
【００９１】
携帯電話機４の詳細な機種情報を受信した場合、詳細な機種情報に含まれるＣＰＵの処理能力を特定可能な情報（例えば、ＣＰＵ種別）や、コンテンツ取得／表示アプリが利用可能なメモリの空き容量等に基づいて、コンテンツサーバ２から取得したコンテンツファイルの変換が行われる。
【００９２】
コンテンツファイルの変換にあっては、まず、ＣＰＵの処理能力を判定し、処理能力が不十分である（処理速度が遅い等）と判定した場合には、コンテンツファイルに含まれる画像データのフォーマットを携帯電話機４の対応画像フォーマットに変換する。これにより、携帯電話機４にて実行されるコンテンツ取得／表示アプリが、コンテンツファイルに含まれる画像データを携帯電話機４の対応画像フォーマットに変換するための処理時間や、処理負荷を軽減できる。
【００９３】
ＣＰＵの処理能力に応じた変換を行った変換サーバ１は、コンテンツ取得／表示アプリが利用可能なメモリの空き容量に基づいて、携帯電話機４がコンテンツファイルに含まれるすべてのデータを受信可能か判定する。
【００９４】
すべてのデータを受信可能でないと判定した場合には、変換サーバ１は、まず、コンテンツファイルに含まれる画像データ以外のデータ、すなわちリンクデータが含まれているか否かを判定する。
【００９５】
つまり、本実施例の変換サーバ１が行う変換処理にて、リンクデータが含まれているか否かを判定する処理は、本発明における付随データ有無判定手段を形成する。
【００９６】
そして、リンクデータがある場合にはリンクデータを削除する。
【００９７】
さらに、リンクデータが削除されたコンテンツファイルに含まれるすべてのデータを受信可能なメモリの空き容量かを判定し、受信可能でないと判定した場合には画像データを一部削除する。
【００９８】
この画像データを一部削除する処理においては、連続的に表示したときになるべく違和感が少なくなるように画像データを削除する。例えば、横方向一周分の画像データが１２個で構成される場合には、２、４、６、８、１０、１２のように、画像データの半分を削除する（間引く）ことで、コンテンツファイルのデータサイズがほぼ半分になる。
【００９９】
また、画像データを削除した場合には、当該画像データの配信タイプを２に更新して、当該データが元々のコンテンツファイル（コンテンツサーバ２の記憶部２０２に記憶されているコンテンツファイル）から間引かれている旨を、コンテンツ取得／表示アプリが特定できるようにする。また、ヘッダ部のデータサイズ等も更新する。
【０１００】
そして、変換サーバ１は、ＣＰＵの処理能力や、コンテンツ取得／表示アプリが利用可能なメモリの空き容量に応じて変換されたコンテンツファイルを携帯電話機４に送信する。
【０１０１】
つまり、本実施例のコンテンツサーバ２の記憶部２０２に記憶されている変換処理前のコンテンツファイルは、本発明のマスター３次元イメージデータに該当し、本実施例のコンテンツサーバ２の記憶部２０２は、本発明のマスターデータ記憶手段を形成する。
【０１０２】
つまり、コンテンツサーバ１からマスター３次元イメージデータ（変換処理前のコンテンツファイル）を取得する本実施例の変換サーバ１が行う変換要求受信処理は、本発明のマスターデータ取得ステップを形成する。
【０１０３】
つまり、本実施例の変換サーバ１の変換処理により変換されたコンテンツファイルは、本発明の配信用３次元イメージデータに該当する。
【０１０４】
つまり、本実施例の変換サーバ１が行う変換処理における機種情報または詳細な機種情報は、本発明の機器状況特定情報に該当する。また、本実施例の変換サーバ１が行う変換処理における、携帯電話機４から送信された機種情報または詳細な機種情報を取得する処理は、本発明の第1項における機器状況特定情報取得手段並びに本発明の第６項における機器状況特定情報取得ステップに該当する。
【０１０５】
つまり、本実施例の変換サーバ１が行う変換処理における、携帯電話機４から送信される機種情報に基づいて機種名を取得する処理は、本発明の第２項における機器状況特定情報取得手段並びに本発明の第７項における機器状況特定情報取得ステップに該当する。
【０１０６】
つまり、本実施例の変換サーバ１が行う変換処理における、携帯電話機４から送信される詳細な機種情報に基づいて再生アプリケーションプログラム（コンテンツ取得／表示アプリ）が利用可能なメモリの空き容量を取得する処理は、本発明の第３項における機器状況特定情報取得手段並びに本発明の第８項における機器状況特定情報取得ステップに該当する。
【０１０７】
つまり、本実施例の変換サーバ１が行う変換処理における、機器状況特定情報取得手段（携帯電話機４から送信される機種情報または詳細な機種情報を取得する処理）にて取得した機器状況特定情報（機種情報または詳細な機種情報）から特定される機器状況（アプリケーション環境種別）に基づいて、再生アプリケーションプログラム記憶手段（記憶部１０２）に記憶されている再生アプリケーションプログラム（コンテンツ取得／表示アプリ）の内、該特定した機器状況に該当する再生アプリケーションプログラムを特定する処理は、本発明のアプリケーション特定手段並びに本発明のアプリケーション特定ステップに該当する。
【０１０８】
つまり、本実施例の変換サーバ１が行う変換処理における、アプリケーション特定手段（特定したアプリケーション環境種別に該当するコンテンツ取得／表示アプリを特定する処理）にて特定した再生アプリケーションプログラムを、機器状況特定情報（機種情報または詳細な機種情報）を取得した利用者端末（携帯電話機４）に対して配信する処理は、該変換処理における当該処理によって本発明の再生アプリ配信手段並びに本発明の再生アプリ配信ステップに該当する。
【０１０９】
尚、本実施例の変換サーバ１が行う変換処理は、利用者端末である携帯電話機４の機種情報に応じて、予めコンテンツサーバ２の記憶部２０２に記憶されているコンテンツファイルに含まれる画像データの数を間引くことにより配信用のコンテンツファイルを生成する構成としているが、本発明はこれに限定されるものではなく、携帯電話機４の機種情報に応じて、予め記憶されているコンテンツファイルに含まれる画像データの解像度を低下させることにより配信用のコンテンツファイルを生成するよう変換処理を構成しても良い。
【０１１０】
例えば、変換サーバ１の記憶部１０２に記憶されている機種情報テーブル（図２（ａ）参照）に携帯電話機４の機種名に対応付けて当該携帯電話機４の表示領域（液晶ディスプレイ）の解像度を登録しておいたり、メモリの空き容量やＣＰＵ種別と解像度を対応付けて変換サーバ１の記憶部１０２に記憶しておいたりすることで、変換処理において、携帯電話機４の表示領域（液晶ディスプレイ）の解像度や、メモリの空き容量やＣＰＵ種別に対応付けられた解像度を特定することにより、この特定した解像度となるように画像データの解像度を低下させれば良い。
【０１１１】
つまり、本実施例の変換サーバ１が行う変換処理においては、機器状況特定情報取得手段となる携帯電話機４から送信される機種情報または詳細な機種情報を取得する処理にて取得した機器状況特定情報（機種情報または詳細な機種情報）から特定される機器状況（機種情報）に基づいて、マスター３次元イメージデータ（コンテンツサーバ２の記憶部２０２に記憶されているコンテンツファイル）に含まれる狭い角度間隔における複数の画像の内から、特定した利用者端末（携帯電話機４）の機器状況（機種情報）に応じた画像数となるように画像を抽出することで間引いた画像、或いはマスター３次元イメージデータに含まれる各画像の解像度を低下させた画像を含む配信用３次元イメージデータ（変換処理後のコンテンツファイル、具体的には、１個の画像データのみを残して他の画像データを間引いたとみなすことが可能なＷｅｂページ化されたコンテンツファイル、メモリの空き容量に応じて画像データが間引かれることにより変換されたコンテンツファイルの２種類）を生成しており、該変換処理により本発明の第1項における配信用データ生成手段が形成されるとともに、本発明の第６項における配信用データ生成ステップが形成されている。
【０１１２】
つまり、取得した機種名に対応して機種名テーブル（機種情報テーブル、図２（ａ）参照）に記憶されている機器状況（機種情報）に基づいて配信用３次元イメージデータ（変換処理後のコンテンツファイル）を生成する本実施例の変換処理は、本発明の第２項における配信用データ生成手段並びに本発明の第７項における配信用データ生成ステップに該当する。
【０１１３】
つまり、少なくとも取得した使用可能なメモリの空き容量に基づいて配信用３次元イメージデータ（メモリの空き容量に応じて画像データが間引かれることにより変換されたコンテンツファイル）を生成する本実施例の変換処理は、本発明の第３項における配信用データ生成手段並びに本発明の第８項における配信用データ生成ステップに該当する。
【０１１４】
つまり、本実施例の変換サーバ１が行う変換処理における、マスター３次元イメージデータ（変換処理前のコンテンツファイル）に付随データ（リンクデータ）が付与されているときは、該付随データの削除を優先的に実施する処理は、本発明の第４項における配信用データ生成手段並びに本発明の第９項における配信用データ生成ステップに該当する。
【０１１５】
つまり、本実施例の変換サーバ１が行う変換処理における、配信用３次元イメージデータ（変換処理後のコンテンツファイル）を送信する処理は、本発明の配信手段並びに本発明の配信ステップに該当する。
【実施例２】
【０１１６】
次に、実施例２に係る配信システムに関して、図４（ａ）を参照して説明する。本実施例２の特徴としては、前記実施例１においては、利用者が、携帯電話機４からコンテンツサーバ２にコンテンツの配信要求を送信して、コンテンツサーバ２から変換されたコンテンツもしくはコンテンツ取得／表示アプリを受信しているのに対し、本実施例２では、利用者が、携帯電話機４から変換サーバ１にコンテンツの配信要求を送信して、変換サーバ１から変換されたコンテンツもしくはコンテンツ取得／表示アプリを受信している点である。
【０１１７】
その他のシステム構成等は、前述の実施例１の配信システムと同一であることから、同一である部分の説明は省略するものとし、前記実施例１からの変更点となる本実施例２の特徴部分について以下に説明する。
【０１１８】
以降では、本実施例２の配信システムにおいて、利用者の配信要求に基づいてコンテンツが変換されて、利用者に配信される流れについて、図４（ａ）に基づいて以下に説明する。
【０１１９】
利用者は、まず、携帯電話機４で動作しているブラウザソフトを操作して、変換サーバ１にアクセスする。
【０１２０】
利用者からのアクセスを受付けた変換サーバ１は、コンテンツ一覧情報の取得要求をコンテンツサーバ２に送信する。コンテンツ一覧情報の取得要求を受信したコンテンツサーバ２は、コンテンツ情報テーブル（図示略）に記憶されている全コンテンツのコンテンツＩＤ（リスト）を含むコンテンツ一覧情報を変換サーバ１に送信する。そして変換サーバ１は、コンテンツの一覧情報を含むコンテンツ選択ページ（図示略）をブラウザソフトに送信して表示させる。
【０１２１】
コンテンツ選択ページ（図示略）が表示されている携帯電話機４のブラウザソフトに対して、利用者は、配信要求の対象とするコンテンツのコンテンツＩＤを選択入力する。そして、コンテンツＩＤが選択入力されると、コンテンツＩＤと、携帯電話機４の機種情報を含む配信要求が、図３（ｂ）に示すように、変換サーバ１に送信される。
【０１２２】
尚、携帯電話機４の機種情報とは、少なくとも機種名を特定可能な情報であり、具体的には、ＨＴＴＰ（Hyper Text Transfer Protocol）リクエストのヘッダ情報に含まれるユーザエージェント情報として、携帯電話機４から変換サーバ１に送信される。
【０１２３】
配信要求を受信した変換サーバ１は、配信要求に含まれるコンテンツＩＤのコンテンツファイルを取得するためにコンテンツＩＤを含むコンテンツ要求を送信する。コンテンツ要求を受信したコンテンツサーバ２は、コンテンツ要求に含まれるコンテンツＩＤに対応付けてコンテンツ情報テーブル（図示略）に記憶されているコンテンツファイル名を特定し、この特定したコンテンツファイル名にて取得されるコンテンツファイルを含む変換要求を変換サーバ１に送信する。
【０１２４】
変換サーバ１は、変換要求を受信する変換要求受信処理を行い、携帯電話機４から受信した配信要求に含まれる携帯電話機４の機種情報に含まれる機種名に対応付けて、変換サーバ１の機種情報テーブル（図２（ａ）参照）に記憶されている機種情報を特定し、該特定した携帯電話機４の機種情報に応じてコンテンツファイルを変換するための変換処理を行う。
【０１２５】
変換サーバ１が行う変換処理は前記実施例１において詳述したが、簡略に説明すると、携帯電話機４がアプリケーションプログラムの実行機能を有する場合には、変換要求に含まれるコンテンツファイルを変換要求に含まれるコンテンツＩＤに対応付けて記憶部１０２に記憶するとともに、該コンテンツＩＤと変換されたコンテンツファイルを取得するためのＷｅｂページのアドレスが設定されたコンテンツ取得／表示アプリを取得するためのＷｅｂページのアドレスを携帯電話機４に送信する。また、携帯電話機４がアプリの実行機能を有しない場合には、変換されたコンテンツファイルを取得するためのＷｅｂページのアドレスを携帯電話機４に送信する。
【０１２６】
変換されたコンテンツファイルを取得するためのＷｅｂページのアドレスを受信した携帯電話機４は、該アドレスに接続することで、変換されたコンテンツファイルを取得して表示（再生）する。また、コンテンツ取得／表示アプリを取得するためのＷｅｂページのアドレスを受信した携帯電話機４は、該アドレスに接続することで、コンテンツ取得／表示アプリを取得して実行する。
【実施例３】
【０１２７】
次に、実施例３に係る配信システムに関して、図４（ｂ）を参照して説明する。本実施例３の特徴としては、前記実施例１においては、利用者が、携帯電話機４からコンテンツサーバ２にコンテンツの配信要求を送信して、コンテンツサーバ２から変換されたコンテンツもしくはコンテンツ取得／表示アプリを受信しているのに対し、本実施例３では、利用者が、携帯電話機４からコンテンツサーバ２にコンテンツの配信要求を送信して、変換サーバ１から変換されたコンテンツもしくはコンテンツ取得／表示アプリを受信している点である。
【０１２８】
その他のシステム構成等は、前述の実施例１の配信システムと同一であることから、同一である部分の説明は省略するものとし、前記実施例１からの変更点となる本実施例３の特徴部分について以下に説明する。
【０１２９】
以降では、本実施例３の配信システムにおいて、利用者の配信要求に基づいてコンテンツが変換されて、利用者に配信される流れについて、図４（ｂ）に基づいて以下に説明する。
【０１３０】
利用者は、まず、携帯電話機４で動作しているブラウザソフトを操作して、コンテンツサーバ２にアクセスすることで、コンテンツサーバ２のコンテンツ情報テーブル（図示略）に記憶されている全コンテンツのコンテンツＩＤ（リスト）を含むコンテンツ選択ページ（図示略）をブラウザソフトに表示させる。
【０１３１】
コンテンツ選択ページ（図示略）が表示されている携帯電話機４のブラウザソフトに対して、利用者は、配信要求の対象とするコンテンツのコンテンツＩＤを選択入力する。そして、コンテンツＩＤが選択入力されると、コンテンツＩＤと、携帯電話機４の機種情報を含む配信要求が、図３（ａ）に示すように、コンテンツサーバ２に送信される。
【０１３２】
尚、携帯電話機４の機種情報とは、少なくとも機種名を特定可能な情報であり、具体的には、ＨＴＴＰ（Hyper Text Transfer Protocol）リクエストのヘッダ情報に含まれるユーザエージェント情報として、携帯電話機４からコンテンツサーバ２に送信される。
【０１３３】
配信要求を受信したコンテンツサーバ２は、配信要求に含まれるコンテンツＩＤに対応付けてコンテンツ情報テーブル（図示略）に記憶されているコンテンツファイル名を特定し、この特定したコンテンツファイル名にて取得されるコンテンツファイルと、受信した配信要求に含まれるコンテンツＩＤと、受信した機種情報とからなる変換要求を、変換サーバ１に送信する。
【０１３４】
変換サーバ１は、変換要求を受信する変換要求受信処理を行い、受信した変換要求に含まれる携帯電話機４の機種情報に含まれる機種名に対応付けて、変換サーバ１の機種情報テーブル（図２（ａ）参照）に記憶されている機種情報を特定し、該特定した携帯電話機４の機種情報に応じてコンテンツファイルを変換するための変換処理を行う。
【０１３５】
変換サーバ１が行う変換処理は前記実施例１にて詳述したが、簡略に説明すると、携帯電話機４がアプリケーションプログラムの実行機能を有する場合には、変換要求に含まれるコンテンツファイルを変換要求に含まれるコンテンツＩＤに対応付けて記憶部１０２に記憶するとともに、該コンテンツＩＤと変換されたコンテンツファイルを取得するためのＷｅｂページのアドレスが設定されたコンテンツ取得／表示アプリを取得するためのＷｅｂページのアドレスに対して、自動接続させるための自動接続指示を携帯電話機４に送信させるための自動接続指示送信要求をコンテンツサーバ２に送信する。
【０１３６】
また、携帯電話機４がアプリの実行機能を有しない場合には、変換されたコンテンツファイルを取得するためのＷｅｂページのアドレスに対して、自動接続させるための自動接続指示を携帯電話機４に送信させるための自動接続指示送信要求をコンテンツサーバ２に送信する。
【０１３７】
自動接続指示送信要求を受信したコンテンツサーバ２は、自動接続指示を携帯電話機４に対して送信する。
【０１３８】
自動接続指示を受信した携帯電話機４のブラウザソフトは、自動接続指示に含まれるコンテンツ取得／表示アプリまたは変換されたコンテンツファイルを取得するためのＷｅｂページのアドレスに対して自動接続する。
【０１３９】
変換されたコンテンツファイルを取得するためのＷｅｂページのアドレスを受信した携帯電話機４は、該アドレスに接続することで、変換されたコンテンツファイルを取得して表示（再生）する。また、コンテンツ取得／表示アプリを取得するためのＷｅｂページのアドレスを受信した携帯電話機４は、該アドレスに接続することで、コンテンツ取得／表示アプリを取得して実行する。
【０１４０】
以上、本実施例１〜３の３次元イメージデータ配信装置（変換サーバ１およびコンテンツサーバ２）によれば、マスター３次元イメージデータ（変換処理前のコンテンツファイル）から利用者が携行する多種多様な利用者端末（携帯電話機４）の機器状況に応じて間引かれた画像を含む配信用３次元イメージデータ（変換処理後のコンテンツファイル）が生成されて配信されるので、複数の配信用３次元イメージデータを作成してアップロードしたり、更にはこれら予め作成してアップロードした全ての３次元イメージデータを更新する必要なく、複数存在する各携帯電話会社における多種多様な携帯電話機等の利用者端末において３次元イメージを利用することができる。
【０１４１】
また、本実施例１〜３の３次元イメージデータ配信装置（変換サーバ１およびコンテンツサーバ２）によれば、携帯電話機４の機種名は、通常においてオープンコンピュータネットワークであるインターネット網３上のプロトコル（ＨＴＴＰ）においてリクエストデータに付加されており、これら機種名を簡便に取得でき、よって該取得した機種名から機器状況を特定できる。
【０１４２】
また、本実施例１〜３の３次元イメージデータ配信装置（変換サーバ１およびコンテンツサーバ２）によれば、機種名等により特定される機器状況においては、利用者端末（携帯電話機４）に搭載されているメモリ容量は特定できるが、実際には、これら搭載されているメモリ容量の全てを配信用３次元イメージデータ（変換処理後のコンテンツファイル）の再生に使用することはできないので、実際に再生に使用することのできる空きメモリ容量に応じた配信用３次元イメージデータを生成することができ、これら空きメモリ容量の不足により配信用３次元イメージデータの再生が良好になされなくなることを極力回避することができる。
【０１４３】
また、本実施例１〜３の３次元イメージデータ配信装置（変換サーバ１およびコンテンツサーバ２）によれば、付随データ（リンクデータ）が付加されている場合には、該付随データが優先的に削除されるので、これら付随データが付加されたままとなることで、過度に間引かれた配信用３次元イメージデータ（変換処理後のコンテンツファイル）が生成されることを回避できる。
【０１４４】
また、本実施例１〜３の３次元イメージデータ配信装置（変換サーバ１およびコンテンツサーバ２）によれば、利用者は、自身が携行する利用者端末（携帯電話機４）に合致した再生アプリケーションプログラム（コンテンツ取得／表示アプリ）を簡便に入手することができる。
【０１４５】
また、本実施例１〜３の３次元イメージデータ配信方法によれば、マスター３次元イメージデータ（変換処理前のコンテンツファイル）から利用者が携行する多種多様な利用者端末（携帯電話機４）の機器状況に応じて間引かれた画像を含む配信用３次元イメージデータ（変換処理後のコンテンツファイル）が生成されて配信されるので、複数の配信用３次元イメージデータを作成してアップロードしたり、更にはこれら予め作成してアップロードした全ての３次元イメージデータを更新する必要なく、複数存在する各携帯電話会社における多種多様な携帯電話機等の利用者端末において３次元イメージを利用することができる。また、マスター３次元イメージデータのみを所有するコンテンツ提供者は、サーバコンピュータより簡便に利用者の利用者端末の機器状況に応じた配信用３次元イメージデータを入手することができる。
【０１４６】
また、本実施例１〜３の３次元イメージデータ配信方法によれば、携帯電話機４の機種名は、通常においてオープンコンピュータネットワークであるインターネット網３上のプロトコル（ＨＴＴＰ）においてリクエストデータに付加されており、これら機種名を簡便に取得でき、よって該取得した機種名から機器状況を特定できる。
【０１４７】
また、本実施例１〜３の３次元イメージデータ配信方法によれば、機種名等により特定される機器状況においては、利用者端末（携帯電話機４）に搭載されているメモリ容量は特定できるが、実際には、これら搭載されているメモリ容量の全てを配信用３次元イメージデータ（変換処理後のコンテンツファイル）の再生に使用することはできないので、実際に再生に使用することのできる空きメモリ容量に応じた配信用３次元イメージデータを生成することができ、これら空きメモリ容量の不足により配信用３次元イメージデータの再生が良好になされなくなることを極力回避することができる。
【０１４８】
また、本実施例１〜３の３次元イメージデータ配信方法によれば、付随データ（リンクデータ）が付加されている場合には、該付随データが優先的に削除されるので、これら付随データが付加されたままとなることで、過度に間引かれた配信用３次元イメージデータ（変換処理後のコンテンツファイル）が生成されることを回避できる。
【０１４９】
また、本実施例１〜３の３次元イメージデータ配信方法によれば、自身が携行する利用者端末（携帯電話機４）に合致した再生アプリケーションプログラム（コンテンツ取得／表示アプリ）を簡便に入手することができる。
【０１５０】
以上、本発明の実施例を図面により説明してきたが、具体的な構成はこれら実施例に限られるものではなく、本発明の要旨を逸脱しない範囲における変更や追加があっても本発明に含まれる。
【０１５１】
例えば、前記実施例１〜３では、変換処理を行う変換サーバ１と、マスター３次元イメージデータ（変換処理前のコンテンツファイル）を管理するコンテンツサーバ２とを、個別のサーバコンピュータとして構成しているが、本発明はこれに限定されるものではなく、これらを同一のサーバコンピュータとして構成しても良く、この場合には、変換サーバ１とコンテンツサーバ２との間で行われているやり取りが、サーバコンピュータの内部処理として構成される。例えば、変換サーバ１がコンテンツサーバ２から変換処理前のコンテンツファイルを取得する処理が、サーバコンピュータの記憶部に記憶されているコンテンツファイルを該記憶部から取得する処理として構成されることとなるが、このような構成であっても本発明の要旨を逸脱しないことは言うまでもない。
【０１５２】
また、前記実施例１〜３では、利用者が携行可能な利用者端末として携帯電話機４のみを適用しているが、ＰＤＡやノートパソコン等の利用者が携行可能なコンピュータ端末を適用しても良く、この場合にも該コンピュータ端末の処理能力や、インストールされているソフトウェア等のコンテンツファイルの再生能力の差異に基づいて、コンテンツファイルに対してデータの間引きや、フォーマットの変更等の変換処理を行うようにすれば良い。
【０１５３】
また、前記実施例１〜３では、配信用３次元イメージデータ（変換処理後のコンテンツファイル）の再生に使用可能なメモリの空き容量に基づいて、マスター３次元イメージデータ（変換処理前のコンテンツファイル）からデータを間引く構成としているが、本発明はこれに限定されるものではなく、使用可能なメモリの空き容量を考慮せずに、例えば、ＣＰＵの処理速度のみを考慮してデータを間引く構成としても良いし、携帯電話機４に標準搭載されているメモリ容量のみを考慮してデータを間引く構成としても良い。
【０１５４】
また、前記実施例１〜３では、コンテンツファイルが付随データ（リンクデータ）を含み、付随データを画像データより先に間引く構成としているが、本発明はこれに限定されるものではなく、付随データを含まない構成としても良いし、付随データを画像データより後に間引く構成としても良い。
【０１５５】
また、前記実施例１〜３では、携帯電話機４の機器状況に該当するコンテンツ取得／表示アプリを複数記憶しておき、特定した機器状況に基づいていずれかのコンテンツ取得／表示アプリを特定する構成としているが、本発明はこれに限定されるものではなく、コンテンツ取得／表示アプリを利用しない構成としても良いし、特定の機器状況に該当するコンテンツ取得／表示アプリを１つだけ記憶しておき、該機器状況が特定されたときには一義的にこのコンテンツ取得／表示アプリを選択する構成としても良い。
【図面の簡単な説明】
【０１５６】
【図１】本発明の本実施例における配信システムの構成を示す図である。
【図２】（ａ）は変換サーバが記憶する機種情報テーブルを示す図であり、（ｂ）変換サーバが記憶する契約サーバ情報テーブルを示す図である。
【図３】（ａ）は実施例１におけるコンテンツの配信の流れを示す図であり、（ｂ）は実施例１〜３における取得／表示アプリの実行の流れを示す図である。
【図４】（ａ）は実施例２におけるコンテンツの配信の流れを示す図であり、（ｂ）は実施例３におけるコンテンツの配信の流れを示す図である。
【図５】（ａ）は取得／表示アプリの実行機能を有さない携帯電話機４におけるコンテンツの配信の流れを示す図であり、（ｂ）は取得／表示アプリの実行機能を有する携帯電話機４におけるコンテンツの配信の流れを示す図である。
【図６】変換サーバにおけるコンテンツの変換処理の流れを示す図である。
【図７】コンテンツファイルに基づく表示の一例を示す図である。
【符号の説明】
【０１５７】
１                変換サーバ
２                コンテンツサーバ
３                インターネット網
４                携帯電話機
１０１            制御部（変換サーバ）
１０２            記憶部（変換サーバ）
１０３            通信部（変換サーバ）
２０１            制御部（コンテンツサーバ）
２０２            記憶部（コンテンツサーバ）
２０３            通信部（コンテンツサーバ）
【図１】
2006345214.tif 000003
【図２】
2006345214.tif 000004
【図３】
2006345214.tif 000005
【図４】
2006345214.tif 000006
【図５】
2006345214.tif 000007
【図６】
2006345214.tif 000008
【図７】
2006345214.tif 000009